(57)【要約】【課題】小型化に適した給湯装置を提供する。【解決手段】給湯装置１０は、ふろ注湯流路と、ふろ追い焚き流路と、ドレン排水流路と、ドレン排水後の配管洗浄流路とを切り替える流路切替弁１を備えている。流路切替弁１は、ふろ注湯流路、ふろ追い焚き流路、ドレン排水流路、および配管洗浄流路以外に、補水流路の切り替えも可能に構成されている。【選択図】図１
2020085253.tif 000002
【特許請求の範囲】
【請求項１】
ふろ注湯流路と、ふろ追い焚き流路と、ドレン排水流路と、ドレン排水後の配管洗浄流路とを切り替える流路切替弁を備えた給湯装置であって、
前記流路切替弁は、前記ふろ注湯流路、前記ふろ追い焚き流路、前記ドレン排水流路、および前記配管洗浄流路以外に、補水流路の切り替えも可能に構成されている、給湯装置。
【請求項２】
前記補水流路は、暖房回路への補水流路および中和器への補水流路の少なくとも一方の補水流路を含む、請求項１に記載の給湯装置。
【請求項３】
前記暖房回路は、暖房タンクを有し、
前記暖房回路への前記補水流路は、前記流路切替弁から前記暖房タンクまでの流路を含む、請求項２に記載の給湯装置。
【請求項４】
前記流路切替弁は、第１流路と、第２流路と、第３流路と、第４流路とを内部に有し、
前記第１流路は、前記第２流路、前記第３流路および前記第４流路の各々と繋がっており、
前記流路切替弁は、前記第１流路に接続される流路を、前記第２流路、前記第３流路および前記第４流路の各々に切り替える弁体を有している、請求項１に記載の給湯装置。
【請求項５】
前記弁体は、回転により駆動するよう構成されており、
前記弁体が回転することにより、前記第１流路に接続される流路が、前記第２流路、前記第３流路および前記第４流路の各々に切り替えられる、請求項４に記載の給湯装置。
【請求項６】
前記流路切替弁は、前記弁体を駆動する駆動源を有し、
前記駆動源は前記弁体の停止位置を変更可能なモーターである、請求項５に記載の給湯装置。
【請求項７】
給湯用熱交換器と、注湯用弁と、追い焚き用熱交換器と、追い焚き用ポンプと、ふろ戻り配管と、ふろ往き配管と、ドレンタンクとをさらに備え、
前記ふろ注湯流路は、少なくとも前記給湯用熱交換器、前記注湯用弁および前記流路切替弁を通る流路であり、
前記ふろ追い焚き流路は、少なくとも前記ふろ戻り配管、前記追い焚き用熱交換器、前記流路切替弁および前記ふろ往き配管を通る流路であり、
前記ドレン排水流路は、少なくとも前記ドレンタンク、前記流路切替弁および前記追い焚き用ポンプを通る流路であり、
前記配管洗浄流路は、少なくとも前記給湯用熱交換器、前記注湯用弁および前記追い焚き用ポンプを通る流路である、請求項４から請求項６のいずれか１項に記載の給湯装置。
【請求項８】
前記流路切替弁が前記補水流路に切り替えられた状態において前記第１流路は前記第２流路に連通しており、
前記流路切替弁が前記ふろ注湯流路および前記ふろ追い焚き流路のいずれかに切り替えられた状態において前記第１流路は前記第３流路に連通しており、
前記流路切替弁が前記ドレン排水流路に切り替えられた状態において前記第１流路は前記第４流路に連通しており、
前記流路切替弁が前記配管洗浄流路に切り替えられた状態において前記第１流路は前記第２流路、前記第３流路および前記第４流路の全ての流路と遮断されている、請求項７に記載の給湯装置。
【発明の詳細な説明】
【技術分野】
【０００１】
本発明は、給湯装置に関するものである。
【背景技術】
【０００２】
従来、ふろ注湯と、ふろ追い焚きと、ドレン排水との各流路を切り替える１つの三方弁を有するふろ給湯装置が知られている。このような給湯装置は、たとえば特開２０１５−２５５９７号公報（特許文献１）、特開２０１５−２５５９９号公報（特許文献２）に開示されている。
【０００３】
また給湯装置には、暖房回路を有する温水暖房付きふろ給湯装置がある。このような暖房回路では、水の温度が上昇しその体積が増加するため、水の体積増加による圧力上昇を抑えるために暖房タンクが設置されている。開放式の暖房タンクでは、水の体積が増加すると暖房タンク内の水位が上昇し、上昇しすぎた水はオーバーフロー配管を通じて暖房タンクから排出される。このためオーバーフロー配管からの排出または水の蒸発による暖房回路内の水の減少分は補給ラインから補われる。このような暖房回路内への補水のために、従来、専用の電磁弁が設けられていた。
【先行技術文献】
【特許文献】
【０００４】
【特許文献１】特開２０１５−２５５９７号公報
【特許文献２】特開２０１５−２５５９９号公報
【発明の概要】
【発明が解決しようとする課題】
【０００５】
上記のようなふろ注湯、ふろ追い焚き、ドレン排水、補水などの機能を有する給湯装置において、さらなる小型化が望まれている。
【０００６】
本発明は、上記の課題に鑑みてなされたものであり、その目的は、小型化に適した給湯装置を提供するものである。
【課題を解決するための手段】
【０００７】
本発明の給湯装置は、ふろ注湯流路と、ふろ追い焚き流路と、ドレン排水流路と、ドレン排水後の配管洗浄流路とを切り替える流路切替弁を備えた給湯装置である。流路切替弁は、ふろ注湯流路、ふろ追い焚き流路、ドレン排水流路、および配管洗浄流路以外に、補水流路の切り替えも可能に構成されている。
【０００８】
本発明の給湯装置によれば、流路切替弁は、ふろ注湯流路、ふろ追い焚き流路、ドレン排水流路、および配管洗浄流路以外に、補水流路の切り替えも可能である。上記流路切替弁が補水流路の切り替え用の弁としても機能するため、補水流路の切り替え専用の弁が不要となる。補水流路の切り替え専用の弁が不要となるため、給湯装置をさらに小型化することが可能となる。
【０００９】
上記給湯装置において、補水流路は、暖房回路への補水流路および中和器への補水流路の少なくとも一方の補水流路を含む。
【００１０】
これにより暖房回路および中和器に補水することが可能となる。暖房回路に補水することにより、オーバーフロー配管からの排出または水の蒸発による暖房回路内の水の減少分を補うことができる。また中和器に補水することにより、中和器を水封することができ、給湯装置内で生じた燃焼ガスが中和器を通じて室内に流入することが防止される。
【００１１】
上記給湯装置において、暖房回路は、暖房タンクを有している。暖房回路への補水流路は、流路切替弁から暖房タンクまでの流路を含む。
【００１２】
暖房タンクへ補水することにより、暖房タンクからオーバーフローにより排出された水の減少分を補うことが可能となる。
【００１３】
上記給湯装置において、流路切替弁は、第１流路と、第２流路と、第３流路と、第４流路とを内部に有している。第１流路は、第２流路、第３流路および第４流路の各々と繋がっている。流路切替弁は、第１流路に接続される流路を、第２流路、第３流路および第４流路の各々に切り替える弁体を有している。
【００１４】
これにより第１流路に接続される流路を切り替えることが可能となる。
上記給湯装置において、弁体は、回転により駆動するよう構成されている。弁体が回転することにより、第１流路に接続される流路が、第２流路、第３流路および第４流路の各々に切り替えられる。
【００１５】
これにより弁体を回転させることで、第１流路に接続される流路を切り替えることが可能となる。
【００１６】
上記給湯装置において、流路切替弁は、弁体を駆動する駆動源を有している。駆動源は弁体の停止位置を変更可能なモーターである。
【００１７】
これにより弁体の回転における停止角度の制御が容易となる。
上記給湯装置は、給湯用熱交換器と、注湯用弁と、追い焚き用熱交換器と、追い焚き用ポンプと、ふろ戻り配管と、ふろ往き配管と、ドレンタンクとをさらに備えている。ふろ注湯流路は、少なくとも給湯用熱交換器、注湯用弁および流路切替弁を通る流路である。ふろ追い焚き流路は、少なくともふろ戻り配管、追い焚き用熱交換器、流路切替弁およびふろ往き配管を通る流路である。ドレン排水流路は、少なくともドレンタンク、流路切替弁および追い焚き用ポンプを通る流路である。配管洗浄流路は、少なくとも給湯用熱交換器、注湯用弁および追い焚き用ポンプを通る流路である。
【００１８】
これにより各流路が切り替えられる。
上記給湯装置において、流路切替弁が補水流路に切り替えられた状態において第１流路は第２流路に連通している。流路切替弁がふろ注湯流路およびふろ追い焚き流路のいずれかに切り替えられた状態において第１流路は第３流路に連通している。流路切替弁がドレン排水流路に切り替えられた状態において第１流路は第４流路に連通している。流路切替弁が配管洗浄流路に切り替えられた状態において第１流路は第２流路、第３流路および第４流路の全ての流路と遮断されている。
【００１９】
これにより各流路が切り替えられる。
【発明の効果】
【００２０】
以上説明したように本発明によれば、小型化に適した給湯装置を実現することができる。
【図面の簡単な説明】
【００２１】
【図１】本発明の一実施の形態における給湯装置の構成を示す概略図である。
【図２】図１の給湯装置に用いられる一実施の形態における流路切替弁の構成を示す斜視図である。
【図３】図２の流路切替弁の構成を示す平面図である。
【図４】図３のＩＶ−ＩＶ線に沿う断面図である。
【図５】図２に示す流路切替弁の弁体の回転角度と給湯装置の動作との関係を示す図である。
【図６】図１に示す給湯装置におけるふろ注湯時の様子を示す図である。
【図７】図１に示す給湯装置におけるふろ追い焚き時の様子を示す図である。
【図８】図１に示す給湯装置におけるドレン排出時の様子を示す図である。
【図９】図１に示す給湯装置におけるドレン排出後の配管洗浄時の様子を示す図である。
【図１０】図１に示す給湯装置における暖房回路への補水時の様子を示す図である。
【図１１】図１に示す給湯装置における中和器への補水時の様子を示す図である。
【図１２】図１に示す給湯装置における暖房時の様子を示す図である。
【図１３】比較例における給湯装置の構成を示す概略図である。
【発明を実施するための形態】
【００２２】
以下、本発明の実施の形態について図に基づいて説明する。なお、明細書および図面において、同一の構成要素または対応する構成要素には、同一の符号を付し、重複する説明を繰り返さない。また、図面では、説明の便宜上、構成を省略または簡略化している場合もある。
【００２３】
＜給湯装置１０の構成＞
まず本実施の形態の給湯装置の構成を図１を用いて説明する。
【００２４】
図１に示されるように、本実施の形態の給湯装置１０は、たとえば暖房回路を有する温水暖房付きふろ給湯装置である。この給湯装置１０は、給湯流路と、ふろ注湯流路と、ふろ追い焚き流路と、ドレン排水流路と、ドレン排水後の配管洗浄流路と、暖房流路と、補水流路とを有している。
【００２５】
給湯装置１０は、流路切替弁１を有している。この流路切替弁１は、ふろ注湯流路、ふろ追い焚き流路、ドレン排水流路、配管洗浄流路、および補水流路の切り替えができるように構成されている。
【００２６】
給湯装置１０の給湯流路は、給水配管５３ａと、給湯用熱交換器１１ｂ、１２ｂと、配管５３ｂ、５３ｃと、給湯配管５３ｄとを有している。給湯用熱交換器１１ｂ、１２ｂは、一次熱交換器１１ｂと、二次熱交換器１２ｂとを有している。
【００２７】
一次熱交換器１１ｂは、給湯用燃焼部１８ｂにて生じた燃焼ガスの顕熱を回収するための顕熱回収型の熱交換器である。また二次熱交換器１２ｂは、給湯用燃焼部１８ｂにて生じた燃焼ガスの潜熱を回収するための潜熱回収型の熱交換器である。
【００２８】
一次熱交換器１１ｂおよび二次熱交換器１２ｂの各々は、給湯用燃焼部１８ｂの上方に配置されている。給湯用燃焼部１８ｂにおける燃焼に必要な空気は、送風機１９により供給される。
【００２９】
給水配管５３ａは、二次熱交換器１２ｂに接続されている。二次熱交換器１２ｂには配管５３ｂが接続されており、この配管５３ｂは一次熱交換器１１ｂにも接続されている。一次熱交換器１１ｂには配管５３ｃが接続されている。給湯配管５３ｄは、配管５３ｃに接続され、かつ配管５３ｃから分岐している。
【００３０】
給湯装置１０のふろ注湯流路は、上記給湯配管５３ｄを除く給湯流路の部分を含み、かつ注湯用弁５２ａと、逆止弁５２ｂ、５２ｃと、逆流防止弁５２ｄと、ポンプ２０（追い焚き用ポンプ）と、追い焚き用熱交換器２１と、流路切替弁１と、配管５３ｅ、５３ｆ、５３ｇと、配管２２ａ、２２ｂ、２２ｃとを有している。
【００３１】
配管５３ｅは、上記給湯流路の配管５３ｃに接続されており、かつ配管５３ｃから分岐している。配管５３ｅには、注湯用弁５２ａ、逆止弁５２ｂ、５２ｃがこの順で接続されている。注湯用弁５２ａは、たとえば注湯電磁弁である。
【００３２】
逆止弁５２ｂと逆止弁５２ｃとの間の配管５３ｅには、逆流防止弁５２ｄが接続されている。この逆流防止弁５２ｄには、配管５３ｆを通じて給水配管５３ａが接続されている。また逆流防止弁５２ｄには、配管５３ｇが接続されている。
【００３３】
逆流防止弁５２ｄは、上水道の圧力低下に応動して配管５３ｅ内の水を大気に放出するように開閉動作する。具体的には給水配管５３ａ内の水の圧力が低下すると、逆流防止弁５２ｄが開いて配管５３ｅ内の水を配管５３ｇを通じて給湯装置１０の外部へ排出する。これにより上水道が圧力低下した場合にも、浴槽６０内の水が上水道に逆流することが防止される。
【００３４】
配管２２ａ（ふろ往き配管）は、配管５３ｅに接続されており、かつ配管５３ｅから分岐している。配管２２ａには、ポンプ２０および追い焚き用熱交換器２１が、この順で接続されている。
【００３５】
配管２２ｃは、配管５３ｅに接続されており、かつ配管５３ｅから分岐している。配管２２ｃには流路切替弁１が接続されている。この流路切替弁１には、配管２２ｂ（ふろ戻り配管）が接続されている。
【００３６】
給湯装置１０のふろ追い焚き流路は、上記のポンプ２０と、追い焚き用熱交換器２１と、流路切替弁１と、配管２２ａ、２２ｂ、２２ｃとを有している。
【００３７】
給湯装置１０のドレン排水流路は、ドレン受け１３ａと、中和器１４と、ドレンタンク１５と、逆止弁１６と、流路切替弁１と、ドレン配水管１３ｂ、６１ａと、配管２２ｂとを有している。
【００３８】
ドレン受け１３ａは、二次熱交換器１２ａ、１２ｂの潜熱回収により生じたドレンを受ける部分である。ドレン受け１３ａにはドレン配水管１３ｂが接続されている。ドレン配水管１３ｂには、中和器１４とドレンタンク１５とが接続されている。ドレン受け１３ａで受けられたドレンは、ドレン配水管１３ｂを通じて中和器１４に供給され、中和器１４で中和された後にドレンタンク１５に貯留される。
【００３９】
ドレンタンク１５のドレン排水口にはドレン配水管６１ａが接続されている。ドレン配水管６１ａには逆止弁１６と流路切替弁１とが接続されている。この流路切替弁１には、配管２２ｂが接続されている。
【００４０】
給湯装置１０のドレン排水後の配管洗浄流路は、上記給湯配管５３ｄを除く給湯流路の部分を含み、かつ注湯用弁５２ａと、逆止弁５２ｂ、５２ｃと、逆流防止弁５２ｄと、ポンプ２０と、追い焚き用熱交換器２１と、配管５３ｅ、２２ａとを有している。
【００４１】
配管５３ｅは、上記給湯流路の配管５３ｃに接続されており、かつ配管５３ｃから分岐している。配管５３ｅには、上記のとおり注湯用弁５２ａ、逆止弁５２ｂ、５２ｃがこの順で接続されており、逆止弁５２ｂと逆止弁５２ｃとの間の配管５３ｅには、逆流防止弁５２ｄが接続されている。
【００４２】
配管２２ａは、配管５３ｅに接続されており、かつ配管５３ｅから分岐している。配管２２ａには、ポンプ２０および追い焚き用熱交換器２１が、この順で接続されている。
【００４３】
給湯装置１０の暖房流路は、暖房用熱交換器１１ａ、１２ａと、暖房用ポンプ３１と、暖房タンク３２と、電動二方弁３３、３４と、低温往き配管３５ａと、高温往き配管３５ｂと、暖房戻り配管３５ｃと、配管３５ｄ、３５ｅ、３５ｆと、バイパス配管３５ｈ、３５ｉとを有している。暖房用熱交換器１１ａ、１２ａは、一次熱交換器１１ａと、二次熱交換器１２ａとを有している。
【００４４】
一次熱交換器１１ａは、暖房用燃焼部１８ａにて生じた燃焼ガスの顕熱を回収するための顕熱回収型の熱交換器である。また二次熱交換器１２ａは、暖房用燃焼部１８ａにて生じた燃焼ガスの潜熱を回収するための潜熱回収型の熱交換器である。
【００４５】
一次熱交換器１１ａおよび二次熱交換器１２ａの各々は、暖房用燃焼部１８ａの上方に配置されている。暖房用燃焼部１８ａにおける燃焼に必要な空気は、送風機１９により供給される。
【００４６】
暖房戻り配管３５ｃは、二次熱交換器１２ａに接続されている。この二次熱交換器１２ａには、配管３５ｅが接続されている。この配管３５ｅには、暖房タンク３２と、暖房用ポンプ３１とが接続されている。この暖房用ポンプ３１には、配管３５ｆが接続されている。この配管３５ｆは、低温往き配管３５ａおよび配管３５ｄの各々に接続されており、低温往き配管３５ａおよび配管３５ｄの各々に分岐している。
【００４７】
配管３５ｄは、一次熱交換器１１ａに接続されている。一次熱交換器１１ａには、高温往き配管３５ｂが接続されている。
【００４８】
バイパス配管３５ｈは、配管３５ｅと高温往き配管３５ｂとの双方に接続されている。このバイパス配管３５ｈには、電動二方弁３３が接続されている。またバイパス配管３５ｉは、高温往き配管３５ｂと暖房戻り配管３５ｃとの双方に接続されている。バイパス配管３５ｉには、電動二方弁３４が接続されている。
【００４９】
給湯装置１０の補水流路は、暖房回路への補水流路と、中和器１４への補水流路とを有している。
【００５０】
暖房回路への補水流路は、上記給湯配管５３ｄを除く給湯流路の部分を含み、かつ注湯用弁５２ａと、逆止弁５２ｂ、５２ｃと、逆流防止弁５２ｄと、流路切替弁１と、配管５３ｅと、配管２２ｃと、補水用配管３５ｇとを有している。補水用配管３５ｇは、流路切替弁１と暖房タンク３２との間を接続している。
【００５１】
なお暖房タンク３２には、オーバーフロー配管３５ｊが接続されている。このオーバーフロー配管３５ｊは、暖房タンク３２内の水位が上昇しすぎた場合に、上昇しすぎた水を暖房タンク３２から排出するためのものである。
【００５２】
中和器１４への補水流路は、上記給湯配管５３ｄを除く給湯流路の部分を含み、かつ注湯用弁５２ａと、逆止弁５２ｂ、５２ｃと、逆流防止弁５２ｄと、流路切替弁１と、配管５３ｅと、配管２２ｃと、補水用配管６１ｂとを有している。補水用配管６１ｂは、流路切替弁１と中和器１４との間を接続している。
【００５３】
上記給湯装置１０の外部には、浴槽６０が配置されている。浴槽６０には、浴槽循環アダプター４１が取り付けられている。浴槽循環アダプター４１には、配管４２ａ、４２ｂの各々が接続されている。
【００５４】
配管４２ｂは、給湯装置１０の配管２２ｂに接続されている。また配管４２ａは電動三方弁４３に接続されている。電動三方弁４３には、配管４２ｄが接続されており、この配管４２ｄは、給湯装置１０の配管２２ａに接続されている。また電動三方弁４３には、ドレン配水管４２ｃも接続されている。
【００５５】
＜流路切替弁１の構成＞
次に、上記給湯装置１０に用いられる流路切替弁１の構成について図２〜図５を用いて説明する。
【００５６】
図２および図３に示されるように、流路切替弁１は、たとえば電動五方弁である。この流路切替弁１は、本体部２と、配管接続部３〜７とを有している。配管接続部３〜７の各々は、本体部２から突き出すように設けられている。
【００５７】
流路切替弁１は、流路３ａ〜７ａを内部に有している。流路３ａは、流路４ａ〜７ａの各々と本体部２の内部にて繋がっている。
【００５８】
流路３ａは、配管接続部３に設けられている。流路４ａは、配管接続部４に設けられている。流路５ａは、配管接続部５に設けられている。流路６ａは、配管接続部６に設けられている。流路７ａは、配管接続部７に設けられている。
【００５９】
本体部２から配管接続部３が延びる方向Ａと配管接続部４が延びる方向Ｂとがなす角度α１は、本体部２から配管接続部３が延びる方向Ａと配管接続部５が延びる方向Ｃとがなす角度α２と同じである。また上記角度α１は、本体部２から配管接続部３が延びる方向Ａと配管接続部６が延びる方向Ｄとがなす角度α３と同じである。また上記角度α１は、本体部２から配管接続部３が延びる方向Ａと配管接続部７が延びる方向Ｅとがなす角度α４と同じである。つまり角度α１と、角度α２と、角度α３と、角度α４との各々は互いに同じである。また角度α１、α２、α３、α４の各々は、たとえば９０°である。
【００６０】
図３に示されるように、配管接続部３が延びる方向から見て、配管接続部４の延びる方向Ｂと配管接続部５の延びる方向Ｃとは角度θ１を構成している。配管接続部５の延びる方向Ｃと配管接続部６の延びる方向Ｄとは角度θ２を構成している。配管接続部６の延びる方向と配管接続部７の延びる方向Ｅとは角度θ３を構成している。配管接続部４の延びる方向Ｂと配管接続部７の延びる方向Ｅとは角度θ４を構成している。
【００６１】
上記角度θ１、θ２およびθ３は互いに同じ角度である。上記角度θ１、θ２およびθ３の各々はたとえば７２°である。上記角度θ４は、上記角度θ１、θ２およびθ３の各々とは異なっている。上記角度θ４は、たとえば１４４°である。
【００６２】
図４に示されるように、本体部２の内部には弁体８が配置されている。弁体８は、駆動源９の回転軸９ａに接続されている。これにより弁体８は、本体部２内において回転可能である。駆動源９は、弁体８の回転における停止位置を変更可能なモータであり、たとえばステッピングモータである。駆動源９は、ステッピングモータ以外に、ポテンショモータ、位置リミッタ検出型モータであってもよい。
【００６３】
弁体８は、内部に流路８ａを有している。この流路８ａは一方開口端である第１開口８ａａと、他方開口端である第２開口８ａｂとを有している。流路８ａはＬ字の断面形状を有している。このため、流路８ａの第１開口８ａａの開口方向と第２開口８ａｂの開口方向とはたとえば９０°の角度を構成している。
【００６４】
弁体８がどの角度に回転した場合でも、弁体８の第１開口８ａａは流路３ａに連通している。一方、弁体８の第２開口８ａｂは、弁体８の回転角度に応じて、流路４ａ〜７ａのいずれかと連通する。
【００６５】
図５（Ａ）に示されるように、弁体８の回転角度がたとえば０°の状態では、弁体８の第２開口８ａｂは流路７ａと連通している。これにより流路３ａ（第１流路）は流路７ａ（第３流路）に連通している。この状態では、給湯装置１０は、たとえばふろ注湯流路またはふろ追い焚き流路に切り替えられている。
【００６６】
図５（Ｂ）に示されるように、弁体８の回転角度がたとえば７２°の状態では、弁体８の第２開口８ａｂは流路４ａ〜７ａのいずれにも連通せず、閉じられている。これにより流路３ａ（第１流路）は流路４ａ〜７ａの全ての流路に対して遮断されている。この状態では、給湯装置１０は、たとえば配管洗浄流路に切り替えられている。
【００６７】
図５（Ｃ）に示されるように、弁体８の回転角度がたとえば１４４°の状態では、弁体８の第２開口８ａｂは流路４ａと連通している。これにより流路３ａ（第１流路）は流路４ａ（第４流路）に連通している。この状態では、給湯装置１０は、たとえばドレン排水流路に切り替えられている。
【００６８】
図５（Ｄ）に示されるように、弁体８の回転角度がたとえば２１６°の状態では、弁体８の第２開口８ａｂは流路５ａと連通している。これにより流路３ａ（第１流路）は流路５ａ（第２流路）に連通している。この状態では、給湯装置１０は、たとえば暖房回路への補水流路に切り替えられている。
【００６９】
図５（Ｅ）に示されるように、弁体８の回転角度がたとえば２８８°の状態では、弁体８の第２開口８ａｂは流路６ａと連通している。これにより流路３ａ（第１流路）は流路６ａ（第２流路）に連通している。この状態では、給湯装置１０は、たとえば中和器１４への補水流路に切り替えられている。
【００７０】
なお図２に示される流路切替弁１の流路３ａに図１に示される配管２２ｃが接続される。また図２に示される流路切替弁１の流路４ａに図１に示されるドレン配水管６１ａが接続される。また図２に示される流路切替弁１の流路５ａに図１に示される補水用配管３５ｇが接続される。また図２に示される流路切替弁１の流路６ａに図１に示される補水用配管６１ｂが接続される。また図２に示される流路切替弁１の流路７ａに図１に示される配管２２ｂが接続される。
【００７１】
＜給湯装置１０の動作＞
次に、本実施の形態の給湯装置１０の動作について図６〜図１２を用いて説明する。
【００７２】
まず本実施の形態の給湯装置１０がふろ注湯流路に切り替えられた状態について図５（Ａ）および図６を用いて説明する。
【００７３】
給湯装置１０がふろ注湯流路に切り替えられる場合、流路切替弁１の弁体８は図５（Ａ）に示されるように０°の位置とされる。これにより流路切替弁１の流路３ａが流路７ａと連通する。
【００７４】
図６に示されるように、ふろ注湯流路に切り替えられた状態においては、注湯用弁５２ａは開いた状態とされる。またポンプ２０が駆動する。
【００７５】
この状態で、水が給水配管５３ａを通じて二次熱交換器１２ｂへ供給される。二次熱交換器１２ｂに供給された水は、給湯用燃焼部１８ｂにて生じた燃焼ガスの潜熱を回収することにより予熱される。
【００７６】
二次熱交換器１２ｂにて予熱された湯は、配管５３ｂを通じて一次熱交換器１１ｂに供給される。一次熱交換器１１ｂに供給された湯は、給湯用燃焼部１８ｂにて生じた燃焼ガスの顕熱を回収することにより加熱される。
【００７７】
一次熱交換器１１ｂにて加熱された湯は、配管５３ｃから配管５３ｅへ供給される。配管５３ｅに供給された湯は、注湯用弁５２ａを通過し、さらに逆止弁５２ｂ、５２ｃも通過して、配管２２ｃと配管２２ａとに分けられる。
【００７８】
配管２２ｃに供給された湯は、流路切替弁１を通じて配管２２ｂに供給される。配管２２ｂに供給された湯は、給湯装置１０に接続された配管４２ｂを通じて浴槽６０に与えられる。
【００７９】
一方、配管２２ａに供給された湯は、ポンプ２０および追焚用熱交換器２１を通過して、給湯装置１０に接続された配管４２ｄに供給される。配管４２ｄに供給された湯は、電動三方弁４３および配管４２ａを通じて浴槽６０に与えられる。
【００８０】
以上により浴槽６０に注湯が行われる。
次に本実施の形態の給湯装置１０がふろ追い焚き流路に切り替えられた状態について図５（Ａ）および図７を用いて説明する。
【００８１】
給湯装置１０がふろ追い焚き流路に切り替えられた場合、流路切替弁１の弁体８は図５（Ａ）に示されるように０°の位置とされる。これにより流路切替弁１の流路３ａが流路７ａと連通する。
【００８２】
図７に示されるように、ふろ追い焚き流路に切り替えられた状態においては、注湯用弁５２ａは閉じた状態とされる。またポンプ２０が駆動する。
【００８３】
この状態で、浴槽６０の湯が配管４２ｂを通じて、給湯装置１０の配管２２ｂに供給される。配管２２ｂに供給された湯は、流路切替弁１および配管２２ｃを通じて配管２２ａに供給される。
【００８４】
配管２２ａに供給された湯は、ポンプ２０を通過した後、追焚用熱交換器２１にて加熱される。追焚用熱交換器２１にて加熱された湯は、配管２２ａを通じて、給湯装置１０に接続された配管４２ｄに供給される。配管４２ｄに供給された湯は、電動三方弁４３および配管４２ａを通じて浴槽６０に与えられる。
【００８５】
以上により浴槽６０内の湯の追い焚きが行われる。
次に本実施の形態の給湯装置１０がドレン排出流路に切り替えられた状態について図５（Ｃ）および図８を用いて説明する。
【００８６】
給湯装置１０がドレン排出流路に切り替えられた場合、流路切替弁１の弁体８は図５（Ｃ）に示されるように１４４°の位置とされる。これにより流路切替弁１の流路３ａが流路４ａと連通する。
【００８７】
図８に示されるように、ドレン排出流路に切り替えられた状態においては、注湯用弁５２ａは閉じた状態とされる。またポンプ２０が駆動する。
【００８８】
この状態で、ドレンタンク１５内のドレンがドレン配水管６１ａに供給される。ドレン配水管６１ａに供給されたドレンは、逆止弁１６、流路切替弁１および配管２２ｃを通じて配管２２ａに供給される。
【００８９】
配管２２ａに供給されたドレンは、ポンプ２０および追焚用熱交換器２１を通過して、給湯装置１０に接続された配管４２ｄに供給される。配管４２ｄに供給されたドレンは、電動三方弁４３およびドレン配水管４２ｃを通じて排水される。
【００９０】
以上によりドレンタンク１５内のドレンが排出される。
次に本実施の形態の給湯装置１０がドレン排水後に配管洗浄流路に切り替えられた状態について図５（Ｂ）および図９を用いて説明する。
【００９１】
給湯装置１０が配管洗浄流路に切り替えられた場合、流路切替弁１の弁体８は図５（Ｂ）に示されるように７２°の位置とされる。これにより流路切替弁１の流路３ａは、流路４ａ〜７ａのいずれに対しても遮断される。
【００９２】
図９に示されるように、配管洗浄流路に切り替えられた状態においては、注湯用弁５２ａは開いた状態とされる。またポンプ２０が駆動する。
【００９３】
この状態で、水が給水配管５３ａ、二次熱交換器１２ｂ、配管５３ｂ、一次熱交換器１１ｂおよび配管５３ｃを通じて配管５３ｅへ供給される。配管５３ｅに供給された水は、注湯用弁５２ａ、逆止弁５２ｂ、５２ｃを通過して、配管２２ａに供給される。
【００９４】
配管２２ａに供給された水は、ポンプ２０および追焚用熱交換器２１を通過して、給湯装置１０に接続された配管４２ｄに供給される。配管４２ｄに供給された水は、電動三方弁４３およびドレン配水管４２ｃを通じて排水される。
【００９５】
以上によりドレン排水後に配管洗浄が行われる。
さらに本実施の形態の給湯装置１０においては、補水流路への切り替えも可能である。補水流路は、たとえば暖房回路への補水流路と、中和器１４への補水流路とを含む。
【００９６】
次に本実施の形態の給湯装置１０が暖房回路への補水流路に切り替えられた状態について図５（Ｄ）および図１０を用いて説明する。
【００９７】
給湯装置１０が暖房回路への補水流路に切り替えられた場合、流路切替弁１の弁体８は図５（Ｄ）に示されるように２１６°の位置とされる。これにより流路切替弁１の流路３ａは、流路５ａと連通する。
【００９８】
図１０に示されるように、暖房回路への補水流路に切り替えられた状態においては、注湯用弁５２ａは開いた状態とされる。
【００９９】
この状態で、水が給水配管５３ａ、二次熱交換器１２ｂ、配管５３ｂ、一次熱交換器１１ｂおよび配管５３ｃを通じて配管５３ｅへ供給される。配管５３ｅに供給された水は、注湯用弁５２ａ、逆止弁５２ｂ、５２ｃを通過して、配管２２ｃに供給される。
【０１００】
配管２２ｃに供給された水は、流路切替弁１および配管３５ｇを通じて暖房タンク３２に補充される。
【０１０１】
以上により暖房回路への補水が行われる。
次に本実施の形態の給湯装置１０が中和器１４への補水流路に切り替えられた状態について図５（Ｅ）および図１１を用いて説明する。
【０１０２】
給湯装置１０が中和器１４への補水流路に切り替えられた場合、流路切替弁１の弁体８は図５（Ｅ）に示されるように２８８°の位置とされる。これにより流路切替弁１の流路３ａは、流路６ａと連通する。
【０１０３】
図１１に示されるように、中和器１４への補水流路に切り替えられた状態においては、注湯用弁５２ａは開いた状態とされる。
【０１０４】
この状態で、水が給水配管５３ａ、二次熱交換器１２ｂ、配管５３ｂ、一次熱交換器１１ｂおよび配管５３ｃを通じて配管５３ｅへ供給される。配管５３ｅに供給された水は、注湯用弁５２ａ、逆止弁５２ｂ、５２ｃを通過して、配管２２ｃに供給される。
【０１０５】
配管２２ｃに供給された水は、流路切替弁１および補水用配管６１ｂを通じて中和器１４に補充される。
【０１０６】
以上により中和器１４への補水が行われる。
次に本実施の形態の給湯装置１０の暖房状態について図１２を用いて説明する。
【０１０７】
図１２に示されるように、給湯装置１０が暖房状態となる場合には、注湯用弁５２ａは開いた状態とされる。また暖房用ポンプ３１が駆動する。
【０１０８】
暖房部（図示せず）から戻ってきた湯水が暖房戻り配管３５ｃを通じて二次熱交換器１２ａへ供給される。二次熱交換器１２ａに供給された水は、暖房用燃焼部１８ａにて生じた燃焼ガスの潜熱を回収することにより予熱される。なお暖房用燃焼部１８ａにおける燃焼に必要な空気は、送風機１９により供給される。
【０１０９】
二次熱交換器１２ａにて予熱された湯は、配管３５ｅ、暖房タンク３２、暖房用ポンプ３１および配管３５ｆを通じて低温往き配管３５ａと配管３５ｄとに分けられる。
【０１１０】
低温往き配管３５ａに供給された湯は、暖房器の低温側へ供給される。
一方、配管３５ｄに供給された湯は、一次熱交換器１１ａに供給される。一次熱交換器１１ａに供給された湯は、暖房用燃焼部１８ａにて生じた燃焼ガスの顕熱を回収することによりさらに加熱される。
【０１１１】
一次熱交換器１１ａにて加熱された湯は、高温往き配管３５ｂに供給される。高温往き配管３５ｂに供給された湯は、暖房器の高温側へ供給される。
【０１１２】
電動二方弁３３を開くことにより、バイパス配管３５ｈを通じて配管３５ｅから高温往き配管３５ｂへ予熱された湯を供給することができる。これにより高温往き配管３５ｂを流れる湯の温度を調整することができる。
【０１１３】
また電動二方弁３４を開くことにより、バイパス配管３５ｉを通じて暖房戻り配管３５ｃから高温往き配管３５ｂへ湯を供給することができる。これにより高温往き配管３５ｂを流れる湯の温度を調整することもできる。
【０１１４】
また低温往き配管３５ａから暖房器の低温側へ供給された湯水と、高温往き配管３５ｂから暖房器の高温側へ供給された湯とは、暖房器にて暖房に供された後に暖房戻り配管３５ｃへ戻る。
【０１１５】
以上により暖房が行われる。
＜本実施の形態の効果＞
次に、本実施の形態の効果について、図１３に示された比較例と対比して説明する。
【０１１６】
図１３に示された比較例の給湯装置１０Ａにおいては、流路切替弁１ａとして電動三方弁が用いられている。この流路切替弁１ａには、配管２２ｂ、配管２２ｃおよびドレン配水管６１ａが接続されている。また暖房タンク３２には、補水用配管３５ｋが接続されている。この補水用配管３５ｋには、補水用配管３５ｋの流路を開閉可能な電動二方弁４０が設けられている。
【０１１７】
なお上記以外の比較例の構成は、本実施の形態の給湯装置１０の構成とほぼ同じであるため、本実施の形態の給湯装置１０の要素と同一の要素については同一の符号を付し、その説明を繰り返さない。
【０１１８】
図１３に示される比較例の暖房回路には、暖房タンク３２が設置されている。この暖房タンク３２は、暖房回路において水の温度が上昇しその体積が増加したときに、水の体積増加による圧力上昇を抑えるためのものである。開放式の暖房タンク３２では、水の体積が増加すると暖房タンク３２内の水位が上昇し、上昇しすぎた水はオーバーフロー配管３５ｊを通じて暖房タンク３２から排出される。このためオーバーフロー配管３５ｊからの排出または水の蒸発による暖房回路内の水の減少分は補水用配管３５ｋから補われる。このような暖房回路内への補水のために、補水用配管３５ｋには専用の電動二方弁４０（電磁弁）が設けられていた。
【０１１９】
しかしながら電動二方弁４０を配置するためのスペースが給湯装置１０Ａ内に必要となる。このため図１３に示す比較例の構成では、給湯装置１０Ａを小型化することが容易ではない。
【０１２０】
また図１３に示す中和器１４はドレンを中和するためのものであるが、給湯装置１０Ａが未使用の状態では中和器１４にドレンが一切貯留されていない。この状態で燃焼部１８ａ、１８ｂによる燃焼が開始し、燃焼ガスの排気口が閉塞されていると、燃焼ガスがドレン配水管１３ｂ、中和器１４、ドレンタンク１５などを通じて室内に流入する可能性がある。この燃焼ガスの室内への流入を確実に防止するために、給湯装置１０Ａの未使用状態から燃焼を開始する前に、中和器１４に水が注入される（補水される）ことで中和器１４が水封される。このため、図１３には示されていないが、中和器１４にも補水のための配管が接続され、その配管を開閉制御する専用の電磁弁が設けられることがある。
【０１２１】
この場合においても、専用の電磁弁を設けるためのスペースが給湯装置１０Ａ内に必要となるため、給湯装置１０Ａを小型化することは容易ではない。
【０１２２】
これに対して本実施の形態によれば図１に示されるように、流路切替弁１は、ふろ注湯流路、ふろ追い焚き流路、ドレン排水流路、および配管洗浄流路以外に、補水流路の切り替えも可能である。上記流路切替弁１が補水流路の切り替え用の弁としても機能するため、補水流路の切り替え専用の弁が不要となる。補水流路の切り替え専用の弁が不要となるため、給湯装置１０をさらに小型化することが可能となる。
【０１２３】
また本実施の形態によれば図１に示されるように、補水流路は、暖房回路への補水流路および中和器１４への補水流路の少なくとも一方の補水流路を含む。
【０１２４】
これにより暖房回路および中和器１４に補水することが可能となる。暖房回路に補水することにより、オーバーフロー配管３５ｊからの排出または水の蒸発による暖房回路内の水の減少分を補うことができる。また中和器１４に補水することにより、中和器１４を水封することができ、給湯装置１０内で生じた燃焼ガスが中和器１４を通じて室内に流入することが防止される。
【０１２５】
また本実施の形態によれば図１に示されるように、暖房回路は、暖房タンク３２を有している。暖房回路への補水流路は、流路切替弁１から暖房タンク３２までの流路を含む。
【０１２６】
このように暖房タンク３２へ補水することにより、暖房タンク３２からオーバーフローにより排出された水の減少分を補うことが可能となる。
【０１２７】
また本実施の形態によれば図１に示されるように、流路切替弁１は、流路３ａ〜７ａを内部に有している。流路３ａは、流路４ａ〜７ａの各々と本体部２の内部にて繋がっている。流路切替弁１は、流路３ａに接続される流路を、流路４ａ〜７ａの各々に切り替える弁体８を有している。
【０１２８】
この弁体８により流路３ａに接続される流路を切り替えることが可能となる。
また本実施の形態によれば図１に示されるように、弁体８は、回転により駆動するよう構成されている。弁体８が回転することにより、流路３ａに接続される流路が、流路４ａ〜７ａの各々に切り替えられる。
【０１２９】
これにより弁体８を回転させることで、流路３ａに接続される流路を切り替えることが可能となる。
【０１３０】
また本実施の形態によれば図１に示されるように、流路切替弁１は、弁体８を駆動する駆動源９を有している。駆動源９はステッピングモーターである。
【０１３１】
これにより弁体８の回転角度の制御が容易となる。
また本実施の形態によれば図１に示されるように、給湯装置１０は、給湯用熱交換器１１ｂ、１２ｂと、注湯用弁５２ａと、追い焚き用熱交換器２１と、ポンプ２０と、ふろ戻り配管２２ｂと、配管２２ａと、ドレンタンク１５とを備えている。ふろ注湯流路は、少なくとも給湯用熱交換器１１ｂ、１２ｂ、注湯用弁５２ａおよび流路切替弁１を通る流路である。ふろ追い焚き流路は、少なくともふろ戻り配管２２ｂ、追い焚き用熱交換器２１、流路切替弁１および配管２２ａを通る流路である。ドレン排水流路は、少なくともドレンタンク１５、流路切替弁１およびポンプ２０を通る流路である。配管洗浄流路は、少なくとも給湯用熱交換器１１ｂ、１２ｂ、注湯用弁５２ａおよびポンプ２０を通る流路である。
【０１３２】
これにより各流路が切り替えられる。
また本実施の形態によれば、流路切替弁１が補水流路に切り替えられた状態においては、図５（Ｄ）、（Ｅ）に示されるように流路３ａは流路５ａまたは流路６ａに連通している。また流路切替弁１がふろ注湯流路およびふろ追い焚き流路のいずれかに切り替えられた状態においては、図５（Ａ）に示されるように流路３ａは流路７ａに連通している。また流路切替弁１がドレン排水流路に切り替えられた状態においては、図５（Ｃ）に示されるように流路３ａは流路４ａに連通している。また流路切替弁１が配管洗浄流路に切り替えられた状態においては、図５（Ｂ）に示されるように流路３ａは流路４ａ〜７ａの全ての流路と遮断されている。
【０１３３】
これにより各流路が切り替えられる。
上記の実施の形態においては、図１に示されるように、給湯装置１０が暖房回路への補水流路と中和器１４への補水流路との双方を有する場合について説明したが、給湯装置１０は、暖房回路への補水流路と中和器１４への補水流路とのいずれか一方のみを有していてもよい。また給湯装置１０は、暖房回路への補水流路および中和器１４への補水流路以外の補水流路を有していてもよい。
【０１３４】
また上記実施の形態においては、図１に示されるように、給湯装置１０として、燃料ガスを燃焼させるガス給湯装置について説明したが、本発明は石油を燃焼させる石油給湯装置に適用されてもよい。
【０１３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３６】
１  流路切替弁、２  本体部、３，４，５，６，７  配管接続部、３ａ，４ａ，５ａ，６ａ，７ａ，８ａ  流路、８  弁体、８ａａ  第１開口、８ａｂ  第２開口、９  駆動源、９ａ  回転軸、１０  給湯装置、１１ａ，１１ｂ  一次熱交換器、１２ａ，１２ｂ  二次熱交換器、１３ｂ，４２ｃ，６１ａ  ドレン配水管、１４  中和器、１５  ドレンタンク、１６，５２ｂ，５２ｃ  逆止弁、１８ａ  暖房用燃焼部、１８ｂ  給湯用燃焼部、１９  送風機、２０  ポンプ、２１  追焚用熱交換器、２２ａ〜２２ｃ，３５ｄ〜３５ｆ，４２ａ，４２ｂ，４２ｄ，５２ｂ，５３ｂ，５３ｃ，５３ｅ〜５３ｇ  配管、３１  暖房用ポンプ、３２  暖房タンク、３３，３４，４０  電動二方弁、３５ａ  低温往き配管、３５ｂ  高温往き配管、３５ｃ  暖房戻り配管、３５ｇ，３５ｋ，６１ｂ  補水用配管、３５ｈ，３５ｉ  バイパス配管、３５ｊ  オーバーフロー配管、４１  浴槽循環アダプター、４３  電動三方弁、５２ａ  注湯用弁、５２ｂ，５２ｃ  逆止弁、５２ｄ  逆流防止弁、５３ａ  給水配管、５３ｄ  給湯配管、６０  浴槽。
【図１】
2020085253.tif 000003
【図２】
2020085253.tif 000004
【図３】
2020085253.tif 000005
【図４】
2020085253.tif 000006
【図５】
2020085253.tif 000007
【図６】
2020085253.tif 000008
【図７】
2020085253.tif 000009
【図８】
2020085253.tif 000010
【図９】
2020085253.tif 000011
【図１０】
2020085253.tif 000012
【図１１】
2020085253.tif 000013
【図１２】
2020085253.tif 000014
【図１３】
2020085253.tif 000015